(57)【要約】【課題】見栄えを向上させることが可能でありながらも、棒状体を安定的に支持し得る棒状懸架具及びこれを備えた収納箱を提供する。【解決手段】棒状懸架具２は、収納部１０の対向する両側内壁１５，１５に架け渡されるように配設される棒状体２０と、前記両側内壁のそれぞれに設けられた係合穴１６，１６に挿入される係合突起２３，２３をそれぞれの一側方側に有する一方、前記両側内壁にそれぞれ取り付けられた状態で前記棒状体の長手方向両端部２１，２１をそれぞれに受け入れ可能とした開口２９，２９が設けられた棒受部２８，２８をそれぞれの他方側に有した一対の支持体２２，２２と、前記棒状体が挿通される挿通孔３１，３１がそれぞれに設けられ、前記一対の支持体のそれぞれの棒受部を覆うようにそれぞれ取り付けられる一対のカバー３０，３０と、を備えており、前記一対の支持体の前記カバーによって覆われない側周部２４，２４には、前記棒受部の開口位置の目安となる目印２５，２５がそれぞれに設けられている。【選択図】図１
2014018218.tif 000002
【特許請求の範囲】
【請求項１】
収納部の対向する両側内壁に架け渡されるように配設される棒状体と、
前記両側内壁のそれぞれに設けられた係合穴に挿入される係合突起をそれぞれの一側方側に有する一方、前記両側内壁にそれぞれ取り付けられた状態で前記棒状体の長手方向両端部をそれぞれに受け入れ可能とした開口が設けられた棒受部をそれぞれの他方側に有した一対の支持体と、
前記棒状体が挿通される挿通孔がそれぞれに設けられ、前記一対の支持体のそれぞれの棒受部を覆うようにそれぞれ取り付けられる一対のカバーと、を備えており、
前記一対の支持体の前記カバーによって覆われない側周部には、前記棒受部の開口位置の目安となる目印がそれぞれに設けられていることを特徴とする棒状懸架具。
【請求項２】
請求項１において、
前記一対の支持体のそれぞれの目印を、前記棒受部の開口を上向きに開口させた状態で下方側に位置するように設けたことを特徴とする棒状懸架具。
【請求項３】
請求項１または２において、
前記一対の支持体のそれぞれの目印を、それぞれの側周部から突出させた突起部としたことを特徴とする棒状懸架具。
【請求項４】
請求項１乃至３のいずれか１項において、
前記一対の支持体の外周面には、雄ねじ部がそれぞれに設けられ、前記一対のカバーの内周面には、前記支持体の雄ねじ部に応じた雌ねじ部がそれぞれに設けられていることを特徴とする棒状懸架具。
【請求項５】
収納部の対向する両側内壁に、請求項１乃至４のいずれか１項に記載された棒状懸架具を取り付けたことを特徴とする収納箱。
【発明の詳細な説明】
【技術分野】
【０００１】
本発明は、収納部の対向する側板間等に架け渡されるように設けられる棒状懸架具及びこれを備えた収納箱に関する。
【背景技術】
【０００２】
従来より、収納部の対向する側板間等に、収納部に収納された物品の落下を防止するためや、種々の物品を吊下げるためのパイプやバー等の棒状体を架け渡した構造とした収納棚等が知られている。
例えば、下記特許文献１では、左右一対の側枠と両側枠に設けた掛止穴に掛止装着される棚受具と棚受具で支持される棚板とを備えた収納棚に適用される落下防止具が提案されている。この落下防止具は、側枠の掛止穴に掛止装着される左右一対の棒受具と両棒受具で支持される直線状の落下防止棒とを備えている。また、これら左右一対の棒受具は、左右対向状に軸受部を突設し、この軸受部に後方（収納奥側）へ向かって開口した受溝を設け、該受溝に落下防止棒の側端が圧嵌係合される構造とされている。
【先行技術文献】
【特許文献】
【０００３】
【特許文献１】特開平１１−８９６５５号公報
【発明の概要】
【発明が解決しようとする課題】
【０００４】
しかしながら、上記特許文献１に記載された落下防止具は、軸受部の受溝が後方に向かって開口した構造であるので、前方側から大きな外力が作用した際等には、落下防止棒が外れ易くなることが考えられる。また、軸受部の受溝が露出するため、見栄え上の観点からも更なる改善が望まれていた。
【０００５】
本発明は、上記実情に鑑みてなされたものであり、見栄えを向上させることが可能でありながらも、棒状体を安定的に支持し得る棒状懸架具及びこれを備えた収納箱を提供することを目的としている。
【課題を解決するための手段】
【０００６】
上記目的を達成するために、本発明に係る棒状懸架具は、収納部の対向する両側内壁に架け渡されるように配設される棒状体と、前記両側内壁のそれぞれに設けられた係合穴に挿入される係合突起をそれぞれの一側方側に有する一方、前記両側内壁にそれぞれ取り付けられた状態で前記棒状体の長手方向両端部をそれぞれに受け入れ可能とした開口が設けられた棒受部をそれぞれの他方側に有した一対の支持体と、前記棒状体が挿通される挿通孔がそれぞれに設けられ、前記一対の支持体のそれぞれの棒受部を覆うようにそれぞれ取り付けられる一対のカバーと、を備えており、前記一対の支持体の前記カバーによって覆われない側周部には、前記棒受部の開口位置の目安となる目印がそれぞれに設けられていることを特徴とする。
【０００７】
本発明においては、前記一対の支持体のそれぞれの目印を、前記棒受部の開口を上向きに開口させた状態で下方側に位置するように設けるようにしてもよい。
また、本発明においては、前記一対の支持体のそれぞれの目印を、それぞれの側周部から突出させた突起部としてもよい。
また、本発明においては、前記一対の支持体の外周面に、雄ねじ部をそれぞれに設け、前記一対のカバーの内周面に、前記支持体の雄ねじ部に応じた雌ねじ部をそれぞれに設けるようにしてもよい。
【０００８】
また、上記目的を達成するために、本発明に係る収納箱は、収納部の対向する両側内壁に、本発明に係る棒状懸架具を取り付けたことを特徴とする。
【発明の効果】
【０００９】
本発明に係る棒状懸架具及びこれを備えた収納箱は、上述のような構成としたことで、見栄えを向上させることが可能でありながらも、棒状体を安定的に支持することができる。
【図面の簡単な説明】
【００１０】
【図１】（ａ）、（ｂ）は、本発明の一実施形態に係る棒状懸架具の一例を模式的に示し、（ａ）は、一部破断概略斜視図、（ｂ）は、（ａ）におけるＸ１−Ｘ１線矢視に対応させた一部破断概略縦断面図である。
【図２】（ａ）は、同棒状懸架具を備えた収納箱の一例を模式的に示す一部破断概略正面図、（ｂ）は、（ａ）におけるＹ１−Ｙ１線矢視に対応させた概略縦断面図である。
【図３】（ａ）は、同棒状懸架具の一部破断概略分解斜視図、（ｂ）は、（ａ）におけるＸ２−Ｘ２線矢視に対応させた一部破断概略縦断面図である。
【図４】（ａ）は、図２（ａ）に対応させた一部破断概略分解正面図、（ｂ）は、（ａ）におけるＹ２−Ｙ２線矢視に対応させた概略縦断面図である。
【図５】同収納箱の概略斜視図である。
【発明を実施するための形態】
【００１１】
以下に本発明の実施の形態について、図面に基づいて説明する。
図１〜図５は、本実施形態に係る棒状懸架具及びこれを備えた収納箱の一例を模式的に示す図である。
なお、一部の図では、他図に付している詳細な符号の一部を省略している。
また、以下の実施形態では、一方側に開口する収納箱に棒状懸架具を取り付け、その開口に対面した状態を基準として、手前側を前方、その逆側を後方とし、また、その状態を基準として、上下方向等の方向を原則的に説明する。
【００１２】
本実施形態では、図５に示すように、本実施形態に係る棒状懸架具２を、本実施形態に係る収納箱１の収納部１０に取り付けた例を示している。
本実施形態に係る収納箱１は、図５に示すように、天板１１と、底板（地板）１２と、背板１３と、左右の側板１４，１４と、を備え、これらによって前方に向けて開口する収納部１０を形成した略箱形状とされている。また、本実施形態では、収納部１０の奥行寸法（前後寸法）が比較的に薄い薄型の収納箱１を例示している。
また、本実施形態では、収納部１０の両側内壁を構成する左右の側板１４，１４の内側面（互いに対向する側面）１５，１５間に架け渡すように、収納部１０を上下に区画する棚板１７を収納部１０に設けた例を示している。なお、図例では、単一の棚板１７を収納部１０に設けた例を示しているが、複数枚の棚板１７を収納部１０に上下に間隔を空けて設けるようにしてもよい。
【００１３】
これら天板１１、底板１２、背板１３、両側板１４，１４及び棚板１７は、木質系材料を板状に加工した基材に、適宜、合成樹脂シートや突板等の表面化粧シートを貼着した構成とされたものとしてもよい。また、木質系材料としては、合板やＬＶＬ（単板積層材）等の木質積層板、パーティクルボード等の木質ボード、インシュレーションボードやＭＤＦ（中密度繊維板）等の木質繊維板などが挙げられる。また、木質系材料としては、合成樹脂系材料に、木粉や無機フィラー、相溶化剤、着色剤などを所定の含有割合で含有させた木粉・プラスチック複合材（ＷＰＣ）としてもよい。また、上記基材としては、合成樹脂系材料や金属系材料からなるものとしてもよい。
【００１４】
左右の側板１４，１４の各内側面１５，１５には、棚板１７を受ける棚受ダボが挿入される複数のダボ穴１６・・・が上下方向に沿って間隔を空けて設けられている。これら内側面１５，１５のそれぞれに設けられた各ダボ穴１６，１６は、互いに対向する方向に開口し、丸穴状とされている。
また、図例では、各側板１４，１４の各内側面１５，１５に、収納部１０の奥行方向（前後方向）に間隔を空けて、上下に複数のダボ穴１６・・・を二列状に設けた例を示している。このような構成により、収納箱１は、棚受ダボを挿入する位置や個数を変えることで、棚板１７の上下位置や枚数の変更が可能とされている。
なお、収納箱１の下端部に、台輪や蹴込み部等を設けるようにしてもよい。また、収納箱１に、前方開口を開閉する開き戸や引戸、折戸等の扉を設けるようにしてもよい。
【００１５】
本実施形態に係る棒状懸架具２は、図１及び図２に示すように、左右の側板１４，１４の対向する両内側面１５，１５に架け渡されるように配設される棒状体２０を備えている。また、棒状懸架具２は、この棒状体２０を支持する一対の支持体２２，２２と、これら一対の支持体２２，２２のそれぞれに取り付けられる一対のカバー３０，３０と、を備えている。
本実施形態では、図５に示すように、収納箱１の底板１２及び棚板１７のそれぞれの前端部上方側に、棒状懸架具２，２を設けた例を示している。
【００１６】
この棒状懸架具２は、収納箱１の底板１２や棚板１７等の載置部に載置された物品等の落下を防止する落下防止具として機能する。本実施形態では、上記のように、収納箱１を、薄型としており、例えば、当該収納箱１を、いわゆるマガジンラック状に使用し、本等を底板１２や棚板１７等に立て掛け、棒状懸架具２によって、本等の前方への倒伏を防止するようにしてもよい。または、当該棒状懸架具２の用途としては、物品の落下や倒伏等を防止する用途に限られず、例えば、棒状懸架具２を、調理器具や、種々の小物、その他の吊下対象を吊下げる吊下具（ハンギングバー、ハンギングレール）として用いるようにしてもよい。
【００１７】
棒状体２０は、左右の側板１４，１４の対向方向に沿って長尺とされている。本実施形態では、棒状体２０は、縦断面の外郭形状が略円形状とされた丸棒状とされている。また、図例では、棒状体２０を、中空棒状（略円筒形状）としている。なお、棒状体２０としては、このような態様に限られず、例えば、中実棒状（略円柱形状）としてもよく、その他の形状とされたものとしてもよい。
この棒状体２０は、図４に示すように、その長手方向の両端部２１，２１が後記する一対の支持体２２，２２にそれぞれ支持される。
また、この棒状体２０の径（外径）は、当該棒状懸架具２の上記した用途等に応じて、適宜、設定するようにしてもよい。例えば、本実施形態のように、棒状懸架具２を落下防止具として用いる場合には、余りにも太すぎれば、収納容積が小さくなるため、５ｍｍ〜２０ｍｍ程度としてもよい。
【００１８】
一対の支持体２２，２２は、図３及び図４に示すように、互いに略同寸同形状とされており、左右の側板１４，１４の両内側面１５，１５のそれぞれに設けられた係合穴１６，１６に挿入される係合突起２３，２３をそれぞれの一側方側（反対向側（外方側））に有している。本実施形態では、左右の側板１４，１４の両内側面１５，１５のそれぞれに設けられた係合穴を、上記した棚板１７を受ける棚受ダボが挿入されるダボ穴１６，１６としている。また、各支持体２２，２２の係合突起を、ダボ穴１６，１６に挿入されるダボ状突起２３，２３としている。これら支持体２２，２２のダボ状突起２３，２３は、一般的な棚受ダボと同様、略円柱形状とされている。このような態様とすることで、収納箱１に設けられた棚受ダボが挿入されるダボ穴１６，１６を利用して、当該棒状懸架具２を所望する上下位置に取り付けることができる。
【００１９】
また、これら支持体２２，２２は、棒状体２０の長手方向両端部２１，２１をそれぞれに支持する棒受部２８，２８をそれぞれの他方側（対向側（内方側））に有している。これら棒受部２８，２８には、各支持体２２，２２が左右の側板１４，１４の両内側面１５，１５にそれぞれ取り付けられた状態で棒状体２０の長手方向両端部２１，２１をそれぞれに受け入れ可能とした開口２９，２９が設けられている。
また、これら支持体２２，２２のカバー３０，３０によって覆われない側周部（外方側周部）２４，２４には、各棒受部２８，２８の開口位置の目安となる目印２５，２５がそれぞれに設けられている。
【００２０】
各支持体２２，２２の棒受部２８，２８は、図３及び図４に示すように、棒状体２０の各端部２１，２１が棒状体２０の径方向に嵌め込まれる形状とされている。
また、これら棒受部２８，２８は、互いに対向する方向に突出し、かつ互いに対向する方向に開口した筒状部の周壁部の一部を切り欠くように開口２９，２９を設けた形状とされている。本実施形態では、丸棒状とされた棒状体２０に対応させて、これら棒受部２８，２８を、上記したダボ状突起２３，２３と略同軸状とされた略円筒状部の周壁部の一部に棒状体２０の各端部２１，２１を棒状体２０の径方向に受け入れ可能とした開口２９，２９を設けた形状としている。
【００２１】
また、これら棒受部２８，２８の開口２９，２９の開口幅寸法（上向きに開口させた状態における前後方向に沿う寸法）を、棒状体２０の径よりも僅かに小さい寸法としている。つまり、開口２９，２９の開口幅寸法を、開口２９，２９を介して棒受部２８，２８に嵌め込まれた棒状体２０の各端部２１，２１が開口２９，２９から容易に抜け出ないような寸法としている。
また、図例では、各棒受部２８，２８の開口２９，２９の両縁部を、棒状体２０が嵌め込まれた状態における棒状体２０の径方向に拡開するテーパ形状とした例を示している。このような形状とすることで、棒状体２０の各端部２１，２１を各棒受部２８，２８にスムーズに嵌め込むことができる。
【００２２】
上記した棒状体２０は、図４（ａ）に示すように、これら支持体２２，２２が左右の側板１４，１４の両内側面１５，１５にそれぞれ取り付けられた状態における棒受部２８，２８の筒底（対向面）間の寸法（収納間口方向に沿う寸法）に応じた長さ寸法とされている。図例では、棒状体２０の長さ寸法を、棒受部２８，２８の筒底間の寸法よりも僅かに短い寸法とした例を示している。
このような態様とすることで、例えば、棒状体の両端部に一体的に取付部等を設けた態様とした場合と比べて、異なる幅寸法（間口寸法）とされた種々の収納部１０（収納箱１）に、棒状懸架具２を簡易に設けることができる。つまり、一対の支持体２２，２２や一対のカバー３０，３０を共通部材とし、長さの異なる棒状体２０を用意することで、異なる幅寸法（間口寸法）とされた種々の収納部１０（収納箱１）に、棒状懸架具２を簡易に設けることができる。
【００２３】
各支持体２２，２２のカバー３０，３０によって覆われない外方側周部２４，２４は、各ダボ状突起２３，２３の内方側に連なるように設けられている。これら外方側周部２４，２４は、各ダボ状突起２３，２３をダボ穴１６，１６に挿入させた状態で、それぞれの外方側面（反対向面）が左右の側板１４，１４の内側面１５，１５にそれぞれ当接される。
また、本実施形態では、外方側周部２４，２４の外郭形状を、ダボ状突起２３，２３と略同軸状（略同心状）とされた略円盤形状としている。
これら外方側周部２４，２４のそれぞれに設けられた目印２５，２５は、本実施形態では、図４（ｂ）に示すように、上記した各棒受部２８，２８の開口２９，２９を上向きに開口させた状態で下方側に位置するように設けられている。つまり、各支持体２２，２２の開口２９，２９の径方向反対側に位置するように目印２５，２５をそれぞれに設けている。
【００２４】
また、本実施形態では、各支持体２２，２２のそれぞれの目印２５，２５を、それぞれの外方側周部２４，２４から突出させた突起部（目印突起部）２５，２５としている。
これら目印突起部２５，２５は、各外方側周部２４，２４のそれぞれの外周面から径方向にそれぞれ突出するように設けられている。また、これら目印突起部２５，２５は、各外方側周部２４，２４の対向方向（棒状体２０の長手方向に沿う方向）の全体に亘って延びるように設けられている。
これら目印突起部２５，２５の外方側周部２４，２４の外周面からの突出寸法や、幅寸法（外方側周部２４の周方向に概ね沿う方向の寸法）は、余りにも大きければ目立ち易くなり、余りにも小さければ認識し難くなるため、例えば、０．５ｍｍ〜３ｍｍ程度としてもよい。また、これら目印突起部２５，２５がそれぞれに設けられた各外方側周部２４，２４の対向方向（軸方向）に沿う寸法も上記同様の観点等から、例えば、２ｍｍ〜１０ｍｍ程度としてもよい。
【００２５】
また、本実施形態では、一対の支持体２２，２２の外周面に、雄ねじ部２７，２７をそれぞれに設けている。本実施形態では、各支持体２２，２２の外方側周部２４，２４のそれぞれの内方側に、略円盤形状の取付部２６，２６を連なるようにそれぞれ設け、これら取付部２６，２６のそれぞれの外周面にねじ溝を形成して雄ねじ部２７，２７とした例を示している。
これら取付部２６，２６は、外方側周部２４，２４と略同心状とされ、外方側周部２４，２４よりも小径状とされている。また、上記した各棒受部２８，２８は、これら取付部２６，２６よりも小径状とされている。
このように、本実施形態では、図３及び図４に示すように、各支持体２２，２２は、ダボ状突起２３，２３、外方側周部２４，２４、取付部２６，２６及び棒受部２８，２８を、外方側から内方側に向けてこの順に略同軸状（略同心状）に設けた構造とされている。
【００２６】
また、本実施形態では、ダボ状突起２３，２３を、各支持体２２，２２の各本体とは別体的に形成された各ピン状部材に設けた構成としている。図例では、各ピン状部材を、ダボ状突起２３，２３の内方側に鍔状部及び円柱状部を設けた形状としている。また、各支持体２２，２２の外方側周部２４，２４及び取付部２６，２６に、軸方向（対向方向）に貫通し、各ピン状部材の円柱状部が挿入され、鍔状部を受け入れる取付孔を設け、これら取付孔に各ピン状部材の鍔状部及び円柱状部を挿入して取り付けた例を示している。
また、図例では、各支持体２２，２２の外方側周部２４，２４及び取付部２６，２６に、外方側に向けて開口する複数の肉盗み状の凹部を設けた例を示している。
【００２７】
一対のカバー３０，３０は、図３及び図４に示すように、互いに略同寸同形状とされており、これらカバー３０，３０には、棒状体２０が挿通される挿通孔３１，３１がそれぞれに設けられている。これらカバー３０，３０は、一対の支持体２２，２２のそれぞれの棒受部２８，２８を覆うようにそれぞれ取り付けられる。また、本実施形態では、各カバー３０，３０の内周面に、各支持体２２，２２の雄ねじ部２７，２７に応じた雌ねじ部３３，３３をそれぞれに設けている。
各カバー３０，３０の挿通孔３１，３１は、それぞれの内周面（図例では、後記する円錐台筒状部３４，３４の内方側端部の内周面）が棒状体２０の外周面に当接または近接するように形成されている。本実施形態では、丸棒状とされた棒状体２０に対応させて、これら挿通孔３１，３１を、対向方向に見て丸孔状とした例を示している。
【００２８】
また、本実施形態では、図１及び図２に示すように、各カバー３０，３０を、各支持体２２，２２に取り付けられた状態で各支持体２２，２２の外方側周部２４，２４と略面一状となる外方側筒状部３２，３２を備えた形状としている。このような態様とすることで、各カバー３０，３０を各支持体２２，２２に取り付けた状態における見栄えを向上させることができる。
また、本実施形態では、これら外方側筒状部３２，３２の内周面にねじ溝を形成して雌ねじ部３３，３３としている。
また、図例では、これら外方側筒状部３２，３２に、外方側に向けて開口する複数の肉盗み状の凹部を設けた例を示している。
【００２９】
また、各カバー３０，３０を、これら外方側筒状部３２，３２のそれぞれの内方側に連なるように略同軸状（略同心状）に設けられ、外郭形状が内方側に向かうに従い先細り状の円錐台形状とされた円錐台筒状部３４，３４を備えた形状としている。
これらカバー３０，３０の外方側筒状部３２，３２及び円錐台筒状部３４，３４のそれぞれの筒内空間が挿通孔３１，３１を構成する。また、これらカバー３０，３０の外方側筒状部３２，３２及び円錐台筒状部３４，３４は、棒状体２０の各端部２１，２１並びに各支持体２２，２２の棒受部２８，２８及び取付部２６，２６を覆う形状とされている。
【００３０】
なお、各カバー３０，３０の外周面等に、シボ状の表面処理や、ローレット状の表面処理等を施すようにしてもよい。また、この場合、上記した支持体２２，２２の外方側周部２４，２４にも同様の表面処理を施すようにしてもよい。
また、上記した棒状懸架具２を構成する各部材は、合成樹脂系材料や、金属系材料等からなるものとしてもよい。例えば、強度上の観点等から、棒状体２０や、各支持体２２，２２のダボ状突起（係合突起）２３，２３を構成する各ピン状部材を金属系材料から形成されたものとし、他の部材を、加工性等の観点等から、合成樹脂系材料から形成されたものとしてもよい。また、棒状体２０を、見栄え上の観点等から、木質系材料から形成されたものとしてもよい。その他、これら各部材は、種々の材料から形成されたものとしてもよい。また、本実施形態では、各支持体２２，２２のダボ状突起（係合突起）２３，２３を構成する各ピン状部材と他の部位を構成する各本体とを別体とした例を示しているが、これらを一体的に形成した態様としてもよい。
【００３１】
上記構成とされた本実施形態に係る棒状懸架具２は、例えば、以下のようにして収納箱１の収納部１０に取り付けるようにしてもよい。
まず、各支持体２２，２２のダボ状突起２３，２３を、左右の側板１４，１４のダボ穴１６，１６に挿入して各支持体２２，２２を取り付ける。この際、各支持体２２，２２の棒受部２８，２８の開口２９，２９が上向き開口となるように、各支持体２２，２２を各側板１４，１４に取り付けるようにしてもよい。
また、図４（ａ）に示すように、各カバー３０，３０のそれぞれの円錐台筒状部３４，３４を対向させるように各カバー３０，３０の各挿通孔３１，３１に棒状体２０を挿通する。この状態で、棒状体２０の長手方向の各端部２１，２１を、各支持体２２，２２の棒受部２８，２８の開口２９，２９を介してそれぞれ棒受部２８，２８に嵌め込み、棒状体２０を各支持体２２，２２に取り付ける。
そして、各カバー３０，３０を、棒状体２０の長手方向に沿って移動させ、各支持体２２，２２の取付部２６，２６に取り付け、図２（ａ）に示すように、棒状懸架具２を収納箱１の収納部１０の対向する両内側面１５，１５に取り付けるようにしてもよい。
【００３２】
上記構成とされた本実施形態に係る棒状懸架具２及びこれを備えた収納箱１は、一対の支持体２２，２２のそれぞれの棒受部２８，２８を覆うようにそれぞれ取り付けられる一対のカバー３０，３０を備えている。従って、棒状体２０の長手方向の各端部２１，２１及び各支持体２２，２２の棒受部２８，２８が露出せず、見栄えを向上させることができる。
また、収納部１０の両側内壁（内側面）１５，１５のそれぞれに設けられた係合穴（ダボ穴）１６，１６に挿入される係合突起（ダボ状突起）２３，２３をそれぞれの一側方側に有した一対の支持体２２，２２を備えている。従って、これら一対の支持体２２，２２のダボ状突起２３，２３を、収納部１０の両内側面１５，１５のそれぞれに設けられたダボ穴１６，１６に挿入することで、これら支持体２２，２２を取り付けることができる。
【００３３】
また、これら一対の支持体２２，２２は、収納部１０の両内側面１５，１５にそれぞれ取り付けられた状態で棒状体２０の長手方向両端部２１，２１をそれぞれに受け入れ可能とした開口２９，２９が設けられた棒受部２８，２８をそれぞれに備えている。従って、これら一対の支持体２２，２２のそれぞれの棒受部２８，２８の開口２９，２９を、支持体２２，２２を必要に応じてダボ状突起２３，２３廻りに回転させ、上向きに開口させることができ、これら棒受部２８，２８に対して棒状体２０の長手方向両端部２１，２１を支持させることができる。これにより、棒状体２０に前後方向に大きな外力が作用したような場合にも棒状体２０が一対の支持体２２，２２から外れ難くなり、棒状体２０を安定的に支持することができる。
【００３４】
また、一対の支持体２２，２２のカバー３０，３０によって覆われない側周部（外方側周部）２４，２４に、棒受部２８，２８の開口位置の目安となる目印２５，２５をそれぞれに設けている。従って、上記のように棒受部２８，２８が各カバー３０，３０によって覆われるため、棒受部２８，２８の開口位置が視認できなくなるが、各目印２５，２５を目安として、棒受部２８，２８の開口２９，２９が上向きであるか否かが認識できる。また、これら目印２５，２５を目安として、棒受部２８，２８の開口２９，２９が上向きとなるように調整することもできる。これにより、棒受部２８，２８の開口２９，２９が下向きや前後方向に向くようなことを抑制することができ、棒状体２０を安定的に支持することができる。
つまり、本実施形態に係る棒状懸架具２によれば、見栄えを向上させることが可能でありながらも、棒状体２０を安定的に支持することができる。
【００３５】
また、本実施形態では、一対の支持体２２，２２のそれぞれの目印２５，２５を、棒受部２８，２８の開口２９，２９を上向きに開口させた状態で下方側に位置するように設けている。従って、例えば、棒受部２８の開口２９を上向きに開口させた状態で後方側に位置するように目印を設けた場合と比べて、目印２５が認識し易く、当該棒状懸架具２を組み付ける際における組み付け性を向上させることができる。また、例えば、棒受部２８の開口２９を上向きに開口させた状態で前方側や上方側に位置するように目印を設けた場合と比べて、目印２５を目立ち難くすることができ、見栄えを向上させることができる。なお、このように目印２５を、棒受部２８の開口２９を上向きに開口させた状態で下方側に位置するように設けた態様に代えて、棒受部２８の開口２９を上向きに開口させた状態で後方側や前方側、上方側等に位置するように目印を設けた態様としてもよい。また、本実施形態では、各外方側周部２４，２４に、それぞれ単一の目印２５，２５を設けた例を示しているが、開口２９の開口位置の目安となるように、複数の目印を設けた態様としてもよい。
【００３６】
また、本実施形態では、一対の支持体２２，２２のそれぞれの目印２５，２５を、それぞれの外方側周部２４，２４から突出させた目印突起部２５，２５としているので、触覚によっても目印の位置を認識することができる。また、棒受部２８の開口２９が上向きとなるように調整する際に、手指等を目印突起部２５に掛けて調整することもできる。なお、このように目印を突起部２５とした態様に代えて、例えば、目印として凹部を設けた態様としてもよい。このような態様においても概ね同様の効果を奏する。また、棒受部２８の開口位置の目安となる目印２５としては、このような突起部や凹部に限られず、例えば、他の部位とは異なる模様や着色等を施した着色部を目印としてもよい。
【００３７】
また、本実施形態では、一対の支持体２２，２２の外周面に、雄ねじ部２７，２７をそれぞれに設け、一対のカバー３０，３０の内周面に、支持体２２，２２の雄ねじ部２７，２７に応じた雌ねじ部３３，３３をそれぞれに設けている。従って、収納部１０の各内側面１５，１５に取り付けられた各支持体２２，２２に対して各カバー３０，３０を螺合させて取り付けることができ、各カバー３０，３０を各支持体２２，２２に対して安定的に取り付けることができる。また、各カバー３０，３０を支持体２２，２２から容易に取り外すことも可能となる。これにより、例えば、棒状懸架具２の上下位置を変更する際や交換、取り外し等する際における作業性を向上させることができる。
【００３８】
また、本実施形態では、上述のように、目印を目印突起部２５，２５としているので、各目印突起部２５，２５を、例えば、手指等で押えることで、各支持体２２，２２に対して各カバー３０，３０を螺合させる際における支持体２２，２２の供回りを防止することができ、当該棒状懸架具２を組み付ける際における組み付け性を向上させることができる。
なお、各支持体２２，２２に対して各カバー３０，３０を着脱可能に取り付ける態様としては、上記のようなねじ作用による取付態様に限られない。例えば、各支持体２２,２２の取付部２６，２６等の外周面に、係止凹部や係止突部等の係止部を設け、各カバー３０，３０の内周面に、各係止部に着脱可能に係止される被係止部を設けた態様としてもよく、その他、種々の取付態様の採用が可能である。さらには、このように、各支持体２２，２２に対して各カバー３０，３０を着脱可能とした態様に代えて、各支持体２２，２２に対して各カバー３０，３０を容易には取り外しできないように、粘着材や接着剤等によって取り付ける態様としてもよい。
【００３９】
また、本実施形態では、収納箱１を前方に開口する箱形状とし、単体で設置されるものとした例を示しているが、このような態様に限られない。例えば、キッチン等に設置されるいわゆる対面型の厨房家具の対面側（反調理作業側）に、組み込まれる収納箱１としてもよい。この場合は、収納箱１の収納部１０を区画する板部材（天板１１や、背板１３、側板１４など）の全体または一部が、厨房家具を構成する板部材と兼用されるものとしてもよい。また、本実施形態に係る収納箱１は、このような厨房家具に組み込まれる態様に限られず、洗面台や、リビング収納家具、玄関収納家具等の他の収納家具の一部として組み込まれる態様としてもよい。
また、本実施形態では、収納箱１を、前方にのみ開口する箱形状とした例を示しているが、前後方向に開口する形状とされたものとしてもよい。この場合は、棒状懸架具２を、収納箱１の後方側にも設けるようにしてもよい。
【００４０】
また、本実施形態では、棚板１７の棚受ダボが挿入されるダボ穴１６を、棒状懸架具２の各支持体２２，２２のダボ状突起（係合突起）２３，２３が挿入される係合穴とした例を示したが、このような態様に限られない。各支持体２２，２２の係合突起２３，２３が挿入される専用の係合穴を収納部１０の内側面１５，１５に設けるようにしてもよい。
また、本実施形態では、棒状懸架具２を取り付ける対象を、収納箱１の左右の側板１４，１４とした例を示しているが、このような態様に限られない。例えば、棒状懸架具２を取り付ける対象を、収納家具に出し入れ自在とされた抽斗の前板及び背板としてもよい。さらには、棒状懸架具２を取り付ける対象を、建物内に設けられた押入やクローゼット等の収納部の対向する両側内壁（収納部を区画する左右の壁体の内側面）としてもよい。また、棒状懸架具２を取り付ける対象としては、その他、種々の取付対象としてもよい。
【符号の説明】
【００４１】
１      収納箱
１０    収納部
１５    側板の内側面（内壁）
１６    ダボ穴（係合穴）
２      棒状懸架具
２０    棒状体
２１    端部
２２    支持体
２３    ダボ状突起（係合突起）
２４    外方側周部（カバーによって覆われない側周部）
２５    目印突起部（目印）
２７    雄ねじ部
２８    棒受部
２９    開口
３０    カバー
３１    挿通孔
３３    雌ねじ部
【図１】
2014018218.tif 000003
【図２】
2014018218.tif 000004
【図３】
2014018218.tif 000005
【図４】
2014018218.tif 000006
【図５】
2014018218.tif 000007